(57)【要約】【課題】  腕輪用ストランドの長さを単純かつ迅速に調整することを可能にする。【解決手段】  腕輪の有効長を調整する調整手段を備える固定メンバー（２０）を有する腕輪用クラスプに関し、この調整手段は、第１の細長片（１）の第２の端に固定されるベースプレート（２１）と、ベースプレート（２１）に回動可能にヒンジ付けされ、保持手段によって保持される第１のストランド（１００）がベースプレート（２１）との間を通るようなキャップ（２２）と、及び閉位置にてベースプレート（２１）上にキャップ（２２）をロックする第２のロック手段とを有する。本発明によると、第２のロック手段は、ユーザーの行為に応じて第１の安静位置と第２の押し込まれた位置との間で動くように構成する押し片（２４）を有し、その第１の安静位置では、キャップ（２２）は、ベースプレート（２１）上の閉位置にロックされ、その第２の押し込まれた位置では、キャップ（２２）は、ベースプレート（２１）に対してロックされていない。【選択図】  図１
2016059793.tif 000002
【特許請求の範囲】
【請求項１】
少なくとも第１及び第２の細長片を有するデプロイメントバックルタイプの腕輪用クラスプであって、
前記第１の細長片（１）は、着用位置である閉位置と開位置との間をとるように、第１の端にて前記第２の細長片（２）にヒンジ付けされており、
前記閉位置では、前記第１の細長片（１）は、前記第２の細長片（２）上に畳まれ、
前記開位置では、前記第１の細長片（１）は、前記第２の細長片（２）から離れており、
前記第１の細長片（１）は、前記第２の端にて、第１の腕輪用ストランド（１００）を固定する固定メンバー（２０）を支えており、前記第２の細長片（２）に第２の腕輪用ストランド（１０１）が少なくとも間接的に接続されており、
前記第１の細長片（１）は、前記第１の細長片（１）を前記閉位置に保持することができる第１のロック手段を有し、
前記固定メンバー（２０）は、前記腕輪の有効長の調整手段を有し、この調整手段は、
前記第１の細長片（１）の前記第２の端に固定されるベースプレート（２１）と、
前記ベースプレート（２１）に回動可能にヒンジ付けされ、前記保持手段によって保持される第１のストランド（１００）が前記ベースプレート（２１）との間を通るようなキャップ（２２）と、及び
前記閉位置にて前記ベースプレート（２１）上に前記キャップ（２２）をロックする第２のロック手段と
を有し、
前記第２のロック手段は、ユーザーの行為に応じて第１の安静位置と第２の押し込まれた位置との間で前記腕輪の長手方向において動くように構成する押し片（２４）を有し、
前記第１の安静位置では、前記キャップ（２２）は、前記ベースプレート（２１）上の閉位置にロックされ、
前記第２の押し込まれた位置では、前記キャップ（２２）は、前記ベースプレート（２１）に対してロックされていない
ことを特徴とするクラスプ。
【請求項２】
前記キャップ（２２）は、その一端の近傍において、その側壁（２２０）のそれぞれの内面にＬ字形の溝（２２１）を有する
ことを特徴とする請求項１に記載のクラスプ。
【請求項３】
前記押し片（２４）は、その各エッジ上にスラグ（２４２）を有し、
各スラグ（２４２）は、対応するＬ字形の溝（２２１）と連係するように構成している
ことを特徴とする請求項１又は２に記載のクラスプ。
【請求項４】
前記第２のロック手段は、前記押し片（２４）を前記閉位置に保持するように前記押し片（２４）と連係するように構成する戻し手段を有する
ことを特徴とする請求項１〜３のいずれかに記載のクラスプ。
【請求項５】
前記戻し手段は、少なくとも１つのばね（２３０）を有する
ことを特徴とする請求項４に記載のクラスプ。
【請求項６】
前記ベースプレート（２１）は、前記押し片（２４）のガイド手段を有する
ことを特徴とする請求項１〜５のいずれかに記載のクラスプ。
【請求項７】
前記戻し手段は、前記押し片（２４）のガイド手段内にて安静状態となる
ことを特徴とする請求項２又は５に記載のクラスプ。
【請求項８】
前記ベースプレート（２１）は、その上側面上に、上側スタッド（３０）であるスタッドを有し、
このスタッドは、基準点を定めるように、前記腕輪ストランド（１００）の適切な穴に挿入される
ことを特徴とする請求項１〜７のいずれかに記載のクラスプ。
【請求項９】
前記第１のストランド（１００）は、前記キャップ（２２）が前記ベースプレート（２１）にヒンジ付けされる位置にて前記調整手段に挿入される
ことを特徴とする請求項１〜８のいずれかに記載のクラスプ。
【請求項１０】
請求項１〜９のいずれかに記載のクラスプを備える腕輪を有する
ことを特徴とする腕時計。
【請求項１１】
ストランドの長さを調整する調整手段を有する固定具にストランドを固定するストランド固定モジュールであって、この調整手段は、
ベースプレート（２１）と、
前記ベースプレート（２１）に回動可能にヒンジ付けされ、前記保持手段によって保持されるストランドが前記ベースプレート（２１）との間を通るようなキャップ（２２）と、及び
閉位置にて前記ベースプレート（２２）上に前記キャップ（２２）をロックする第２のロック手段と
を有し、
前記第２のロック手段は、ユーザーの行為に応じて第１の安静位置と第２の押し込まれた位置との間で前記腕輪の長手方向において動くように構成する押し片（２４）を有し、
前記第１の安静位置では、前記キャップ（２２）は、前記ベースプレート（２１）上の前記閉位置にロックされ、
前記第２の押し込まれた位置では、前記キャップ（２２）は、前記ベースプレート（２１）に対してロックされていない
ことを特徴とするストランド固定モジュール。
【発明の詳細な説明】
【技術分野】
【０００１】
本発明は、調整可能なストランドを備えた腕輪用クラスプに関し、特に、時計用腕輪ないしストラップ用のためのものに関する。
【背景技術】
【０００２】
欧州特許ＥＰ０６０７７２６によって知られている腕輪用クラスプは、細長片の端にヒンジ付けされたベースプレートと、及びこのベースプレート上に突き出ている逆Ｕ字形のキャップとを有する機構を備えており、このキャップの２つの自由端ではそれぞれ、横方向のアームが同じ側で延在しており、このアームの端は、ベースプレートの対応する側面上に回動可能にマウントされている。そのキャップの自由端を横方向のロック手段によってロックすることができ、調整可能なストランドが、ベースプレートとキャップの間を通り、ベースプレート又はキャップの内面から突き出るスタッドによって保持される。
【０００３】
このような機構を操作することは、ユーザーにとって簡単ではない。なぜなら、腕輪用ストランドの長さを変えることが望まれる場合に、ストランドの長さを調整してベースプレートを保持するために、爪を使用する機構のロックを外すことが必要であるからである。さらに、この機構のロックは完全に確実ではない。腕輪の着用時に引っかかった場合や衝撃があった場合にキャップのロックが外されることがあるからである。
【発明の概要】
【発明が解決しようとする課題】
【０００４】
本発明は、これらの公知技術の様々な課題を克服することを目的とする。
【０００５】
より詳細には、本発明は、腕輪用ストランドの長さを単純かつ迅速に調整することが可能になるクラスプを提供することを目的とする。
【０００６】
本発明は、さらに、少なくとも特定の実施形態においては、実装することが簡単で低コストなクラスプを提供することを目的とする。
【課題を解決するための手段】
【０００７】
これらの目的は、他の目的（下においてより明白に理解することができる）とともに、本発明によって、デプロイメントバックルタイプの腕輪用クラスプが貢献して、達成される。これは、少なくとも第１及び第２の細長片を有するデプロイメントバックルタイプの腕輪用クラスプであって、前記第１の細長片は、着用位置である閉位置と開位置との間をとるように、第１の端にて前記第２の細長片にヒンジ付けされており、前記閉位置では、前記第１の細長片は、前記第２の細長片上に畳まれ、前記開位置では、前記第１の細長片は、前記第２の細長片から離れており、前記第１の細長片は、前記第２の端にて、第１の腕輪用ストランドを固定する固定メンバーを支えており、前記第２の細長片に第２の腕輪用ストランドが少なくとも間接的に接続されており、前記第１の細長片は、前記第１の細長片を前記閉位置に保持することができる第１のロック手段を有する。
【０００８】
前記固定メンバーは、前記腕輪の有効長の調整手段を有し、この調整手段は、
−  前記第１の細長片の前記第２の端に固定されるベースプレートと、
−  前記ベースプレートに回動可能にヒンジ付けされ、前記保持手段によって保持される第１のストランドが前記ベースプレートとの間を通るようなキャップと、及び
−  前記閉位置にて前記ベースプレート上に前記キャップをロックする第２のロック手段と
を有する。
【０００９】
本発明によると、前記第２のロック手段は、ユーザーの行為に応じて第１の安静位置と第２の押し込まれた位置との間で前記腕輪の長手方向において動くように構成する押し片を有し、前記第１の安静位置では、前記キャップは、前記ベースプレート上の閉位置にロックされ、前記第２の押し込まれた位置では、前記キャップは、前記ベースプレートに対してロックされていない。
【００１０】
本発明の他の好ましい変種によると、
−  前記キャップは、その一端の近傍において、その側壁のそれぞれの内面にＬ字形の溝を有する。
−  前記押し片は、その各エッジ上にスラグを有し、 各スラグは、対応するＬ字形の溝と連係するように構成している。
−  前記第２のロック手段は、前記押し片を前記閉位置に保持するように前記押し片と連係するように構成する戻し手段を有する。
−  前記戻し手段は、少なくとも１つのばねを有する。
−  前記ベースプレートは、前記押し片のガイド手段を有する。
−  前記戻し手段は、前記押し片のガイド手段内にて安静状態となる。
−  前記ベースプレートは、その上側面上に、上側スタッドであるスタッドを有し、このスタッドは、基準点を定めるように、前記腕輪ストランドの適切な穴に挿入される。
−  前記第１のストランドは、前記キャップが前記ベースプレートにヒンジ付けされる位置にて前記調整手段に挿入される。
【００１１】
本発明は、さらに、本発明に係るクラスプを備える腕輪を有する腕時計に関する。
【００１２】
本発明は、さらに、ストランドの長さを調整する調整手段を有する固定具にストランドを固定するストランド固定モジュールに関し、この調整手段は、ベースプレートと、前記ベースプレートに回動可能にヒンジ付けされ、前記保持手段によって保持されるストランドが前記ベースプレートとの間を通るようなキャップと、及び閉位置にて前記ベースプレート上に前記キャップをロックする第２のロック手段とを有し、前記第２のロック手段は、ユーザーの行為に応じて第１の安静位置と第２の押し込まれた位置との間で前記腕輪の長手方向において動くように構成する押し片を有し、前記第１の安静位置では、前記キャップは、前記ベースプレート上の前記閉位置にロックされ、前記第２の押し込まれた位置では、前記キャップは、前記ベースプレートに対してロックされていない。
【００１３】
このように、上記の様々な機能的及び構造的な態様によって、ストランドの有効長を、特に、容易で迅速な手法で、調整することができるようなクラスプを得ることが本発明によって可能になる。
【００１４】
本発明の特定の実施形態についての以下の説明及び添付の図面（単なる例であってこれらに限定されない）によって、本発明の他の特徴及び利点をより明確に理解できるであろう。
【図面の簡単な説明】
【００１５】
【図１】本発明に係るクラスプの斜視図である。
【図２】本発明に係る第２のクラスプロック手段の分解図である。
【図３】図３Ａは、本発明に係る第２のクラスプロック手段の上視図である。図３Ｂは、本発明に係る第２のクラスプロック手段の図３Ａの線Ａ−Ａに沿った断面図である。
【図４】本発明の別の実施形態に係るクラスプの斜視図である。
【発明を実施するための形態】
【００１６】
図１、２、３Ａ及び３Ｂを参照しながら、第１の例示的実施形態に係る調整可能なストランドを備えた腕輪用クラスプについて、以下に説明する。
【００１７】
第１の実施形態によると、本発明は、デプロイメントバックルタイプの腕輪用クラスプに関し、これは、第１及び第２の細長片を少なくとも有し、第１の細長片１は、着用位置である閉位置と開位置との間をとるように、第１の端にて第２の細長片２にヒンジ付けされており、閉位置では、第１の細長片１は、第２の細長片２上に畳まれ、開位置では、第１の細長片１は、第２の細長片２から離れる。
【００１８】
第１の細長片１は、第２の端において、第１の腕輪用ストランド１００を固定する固定メンバー２０を支えており、第２の腕輪用ストランド１０１は、例えば、アタッチメントリンク１１によって、第２の細長片２に少なくとも間接的に接続されており、第１の細長片１は、第１の細長片１を閉位置に保持することができる第１のロック手段を有する。
【００１９】
ストランド１００、１０１は、皮革、織物生地、キャンバス生地、又は腕輪ないしベルトを構成する当業者に知られている他の材料のような材料で製造することができる。
【００２０】
第１のロック手段は、例えば、下側スタッド３１であるスタッドを保持及び／又は解放するように構成する少なくとも１つのばねキャッチ３２によって形成することができ、これによって、第１の細長片１を第２の細長片２に対して閉位置に保持したり、第１の細長片１を離れた位置へと解放したりする。
【００２１】
第２の細長片２は、例えば、その中央において貫通オリフィスを有することができ、これを中央オリフィス２５と呼ぶ。この中央オリフィス２５は、下側スタッド３１を受けるように構成している。これによって、下側スタッド３１が、ばねキャッチ３２と連係する。もちろん、本発明の範囲を逸脱せずに、当業者であれば、他のロック手段をも想起することができる。
【００２２】
図１及び２で観察することができるように、固定メンバー２０は、腕輪の有効長を調整する調整手段を有し、この調整手段は、
−  第１の細長片１の第２の端に回動可能にヒンジ付けされ、バー１０によって保持されるベースプレート２１と、及び
−  ベースプレート２１に回動可能にヒンジ付けされた逆Ｕ字形のキャップ２２であって、その横方向のエッジを介してバー１０によってベースプレート２１に保持されているようなキャップ２２と
を有する。
【００２３】
このようなベースプレート２１及びキャップ２２の構成によって、第１のストランド１００が、ベースプレート１１とキャップ２２の間を通ることが可能になる。好ましいことに、第１のストランド１００は、調整手段を通り抜け、この調整手段では、キャップ２２がベースプレート２１にヒンジ付けされる。図において観察することができるように、第１のストランド１００は、上側スタッド３０であるスタッドのような保持手段を介してその位置に保持される。このスタッドは、第１のストランド１００をクラスプに固定するアンカー点を定めるように第１のストランド１００の適切な穴に挿入される。もちろん、本発明の範囲を逸脱せずに、当業者であれば、他の保持手段をも想起することができる。
【００２４】
この調整手段は、さらに、ベースプレート２１上の閉位置にキャップ２２を保持する第２のロック手段を有する。
【００２５】
好ましいことに、この第２のロック手段は、ユーザーの行為に応じて第１の安静位置と第２の押し込まれた位置との間をとるように、第１のストランド１００の長手方向において動くように構成する押し片２４によって形成されている。この第１の安静位置では、キャップ２２は、ベースプレート２１上で閉位置に固定され、第２の押し込まれた位置では、キャップ２２は、ベースプレート２１に対してロックされていない。
【００２６】
図２に示すように、第２のロック手段は、押し片２４に対して力を与えるように構成するばね２３０のような戻し手段を有する。これによって、押し片２４を閉位置に保持する。
【００２７】
ベースプレート２１は、押し片２４及びばね２３０をガイドするガイド手段を有し、このガイド手段はそれぞれ、押し片２４に対するベースプレート２１の両側のガイド溝２１０と、及び各ばね２３０に対するガイドシリンダー２１１の形態をとる。これによって、ばね２３０は、ガイドシリンダー２１１の中にて横方向から保持される。
【００２８】
好ましいことに、ガイド溝２１０は、押し片２４がキャップ２１の側壁と連係することができるような貫通溝であるように構成する。
【００２９】
押し片２４は、ベースプレート２１の幅と同じ幅の本体２４０で形成され、押し片２４の各端にはアーム２４１を有し、これらのアーム２４１は、ガイド溝２１０の内側で滑り、かつ、ばね２３０と当接して連係するように構成する。図において観察することができるように、押し片２４のアーム２４１はそれぞれ、スラグ２４２を有し、これらのスラグ２４２は、キャップ２２の側壁２２０のうちの１つと連係するようにガイド溝２１０の外側を向いている。
【００３０】
さらに、押し片２４は、各アーム２４１に貫通穴２４３を有し、これらの貫通穴２４３それぞれは、ベースプレート２１に固定されたねじ２１２が中を通り抜けて、押し片２４がばね２３０の応力を受けた際に押し片２４を適所に保持することを可能にするように構成する。貫通穴２４３は、ねじ２１２よりも大きな直径を有し、穴２４３とねじ２１２の直径の間の差によって、押し片２４の移動距離の長さが定まる。
【００３１】
本発明によれば、キャップ２２は、側壁２２０それぞれの内面にてＬ字形の溝２２１を有し、これは、好ましくは、側壁２２０の端の近傍にて構成しており、これらのＬ字形の溝２２１それぞれは、押し片２４の対応するスラグ２４１と連係するように構成する。
【００３２】
図示していない変種の実施形態によれば、キャップ２２は、その側壁２２０のそれぞれの内面にてスラグを有し、押し片２４のアーム２４１はそれぞれ、キャップ２２の対応するスラグと連係するように構成する溝を有する。このようにして、ユーザーが押し片２４を押すと、この溝が動き、キャップ２２の側壁２２０に存在するスラグを解放する。
【００３３】
図３Ａにおいて観察することができるように、キャップ２２が閉位置にあるときに、ばね２３０は、押し片２４の本体２４０が、キャップ２２からわずかに突き出て、スラグ２４１がＬ字形の溝２２１の底における位置に留まるように、押し片２４を拘束する。キャップ２２を解放するために、各Ｌ字形の溝２２１のＬ字の「足部分」の内側にてスラグ２４１が止められるように、ユーザーは押し片２４を押す。その後、ユーザーはキャップ２２を上げて、第１のストランド１００を上げることによって第１のストランド１００を解放して、上側スタッド３０を第１のストランド１００から抜くことができる。
【００３４】
本発明の特に好ましい態様によると、ユーザーは、押し片２４を押す指とキャップ２２を上げる指とで同じ指を使用することができる。その際、押し片２４が押し込まれた位置になるときには、指がキャップ２２のすぐ近傍になる。
【００３５】
本発明の第２の実施形態によると、デプロイメントバックルタイプの腕輪用クラスプは、第１、第２及び第３の細長片を有し、第１の細長片１は、第１の端にて第２の細長片２にヒンジ付けされており、第３の細長片３は、第１の端の反対側の第２の端にて第２の細長片２にヒンジ付けされている。
【００３６】
第１の細長片１及び第３の細長片３は、着用位置である閉位置から開位置へと変わることができる。その閉位置では、第１の細長片１及び第３の細長片３は、第２の細長片２上に畳まれる。その開位置では、第１の細長片１及び第３の細長片３は、第２の細長片２から離れている。
【００３７】
第１の細長片１は、第２の端にて、第１の腕輪用ストランド１００を固定する固定メンバー２０を支えており、第２の腕輪用ストランド１０１は、第２の細長片２に少なくとも間接的に接続されており、第１の細長片１は、第１の細長片１を閉位置にて保持することができる第１のロック手段１０を有する。
【００３８】
図４にて観察することができるように、固定メンバー２０は、第１の実施形態と同じ第１のストランド１００の長さを調整する調整手段を有する。よって、これらの調整手段を再び説明しない。
【００３９】
図４にて観察することができるように、第２の細長片２は、中央オリフィス２５の両側にて対称的に配置される、第２の細長片２の長手方向に延在する２つの凹部２６及び２７を有する。好ましいことに、長手方向に延在する凹部２６及び２７はそれぞれ、第１の細長片１及び第３の細長片３に対して相補的な形状を有する。
【００４０】
このようにして、第１の細長片１及び第３の細長片３は、少なくとも部分的に長手方向のハウジング２６及び２７の内部にて安静状態となる。これによって、第１の細長片１及び第３の細長片３の第２の端は、中央オリフィス２５のすぐ近くの第２の細長片２上にて安静状態となる。
【００４１】
図４に示すように、ベースプレート２１には、押し片２４を受ける端にて窪み２１３が設けられる。これによって、ベースプレート２１と押し片２４の間でハウジングを形成する。このハウジングは、第１の細長片１及び第３の細長片３が閉位置にある場合に、第３の細長片３の第２の端を受けるように構成する。
【００４２】
本発明のこの特定の実施形態によれば、固定メンバー２０は、レセプタクル２００を有する。レセプタクル２００内には、第１の細長片１及び第３の細長片３が閉位置にて第２の細長片２上に畳まれるときに、押し片２４の本体２４０が収容される。
【００４３】
クラスプを閉じるためには、まず、ユーザーは、第３の細長片３の第２の端が中央オリフィス２５の上に位置するように、対応する長手方向に延在する凹部２７内に第３の細長片３を第２の細長片２上に畳む。次に、ユーザーは、第１の細長片１の第２の端が中央オリフィス２５の上に位置し、第３の細長片３の第２の端が窪み２１３にて安静状態となるように、対応する長手方向に延在する凹部２６内に第１の細長片１を第２の細長片２上に畳む。最後に、ユーザーが下側スタッド３１を中央オリフィス２５内に配置し、第１のロック手段によってスタッドをロックすると、細長片１及び３がロックされる。
【００４４】
本発明は、さらに、上記のようなクラスプを備える腕輪を有する腕時計に関する。
【００４５】
本発明は、さらに、ベルト固定具のような固定具にストランドを固定する固定モジュールに関し、この固定モジュールは、ストランドの長さを調整する調整手段を有する。これらの調整手段は、
−  第１の細長片１の第２の端と、及びベースプレート２１に回動可能にヒンジ付けされたキャップ２２とに固定されたベースプレート２１であって、ストランドが当該ベースプレート２１とキャップ２２の間を通り、ストランドがベースプレート２１の上側面及び下側面上に配置された保持手段によって保持されるような、ベースプレート２１と、及び
−  ベースプレート２１に設けられ、閉位置においてベースプレート２１上にあるキャップ２２の第２のロック手段と
を有する。
【００４６】
本発明によると、第２のロック手段は、ユーザーの行為に応じて第１の安静位置と第２の押し込まれた位置との間でストランドの長手方向において動くように構成する押し片２４を有する。その第１の安静位置では、キャップ２２は、ベースプレート２１上の閉位置にロックされ、その第２の押し込まれた位置では、キャップ２２は、ベースプレート２１に対してロックされていない。
【００４７】
これらの本発明の異なる態様の結果、腕輪用ストランドないしベルトの長さを調整するための単純な設計のクラスプが提供される。
【００４８】
もちろん、本発明は、図示した例に限定されず、当業者が考えられる様々な変種及び改変が可能である。
【符号の説明】
【００４９】
１  第１の細長片
１０  バー
１１  アタッチメントリンク
１００  第１のストランド
１０１  第２のストランド
２  第２の細長片
２０  固定メンバー
２００  レセプタクル
２１  ベースプレート
２１０  ガイド溝
２１１  ガイドシリンダー
２１２  ねじ
２１３  窪み
２２  キャップ
２２０  側壁
２２１  Ｌ字形の溝
２３０  ばね
２４  押し片
２４０  押し片本体
２４１  押し片アーム
２４２  スラグ
２４３  貫通穴
２５  中央オリフィス
２６、２７  長手方向に延在する凹部
３  第３の細長片
３０  上側スタッド
３１  下側スタッド
３２  ばねキャッチ
【図１】
2016059793.tif 000003
【図２】
2016059793.tif 000004
【図３】
2016059793.tif 000005
【図４】
2016059793.tif 000006